(57)【要約】【課題】集約された画像データを取得した場合、非集約の状態に戻して画像補正処理を行うこと。【解決手段】画像データを取得して、画像データを配信する機能を有する画像処理装置であって、画像データにおける所定領域のパンチ穴を検出する検出手段と、検出手段により検出されたパンチ穴の領域の位置に基づいて、いずれの集約が行われたかを判定する判定手段と、判定手段により判定されたいずれの集約であるかを示す情報をレイアウト情報として取得するレイアウト取得手段３０２と、レイアウト情報に基づいて画像データを集約される前の画像データに処理する非集約処理手段３０５と、非集約処理手段により処理された集約前の画像データに対して、画像補正を行う画像補正手段３０５と、画像補正手段により画像補正された画像データを配信する配信手段３０５とを備える。【選択図】図５
2011019187.tif 000002
【特許請求の範囲】
【請求項１】
画像データを取得して、前記画像データを配信する機能を有する画像処理装置であって、
前記画像データにおける所定領域のパンチ穴を検出する検出手段と、
前記検出手段により検出されたパンチ穴の領域の位置に基づいて、いずれの集約が行われたかを判定する判定手段と、
前記判定手段により判定されたいずれの集約であるかを示す情報をレイアウト情報として取得するレイアウト取得手段と、
前記レイアウト情報に基づいて前記画像データを集約される前の画像データに処理する非集約処理手段と、
前記非集約処理手段により処理された集約前の画像データに対して、画像補正を行う画像補正手段と、
前記画像補正手段により画像補正された画像データを配信する配信手段と
を備える画像処理装置。
【請求項２】
前記レイアウト取得手段はさらに、
前記画像データに、いずれの集約であるかを示す前記レイアウト情報を識別するレイアウト識別情報が付加されている場合、前記レイアウト識別情報を読み取ることで、前記レイアウト情報を取得する請求項１記載の画像処理装置。
【請求項３】
前記画像データの属性情報を取得する属性情報取得手段と、
前記属性情報に、前記非集約処理を行うか否かを示す選択情報が含まれる場合、該選択情報に基づいて前記非集約処理を行うか否かを決定する決定手段とをさらに備える請求項１又は２に記載の画像処理装置。
【請求項４】
ネットワークを介して画像形成装置と画像処理装置とが接続される画像処理システムであって、
前記画像形成装置は、
画像データを前記画像処理装置に送信する送信手段を備え、
前記画像処理装置は、
前記画像データを前記画像形成装置から受信する受信手段と、
前記画像データにおける所定領域のパンチ穴を検出する検出手段と、
前記検出手段により検出されたパンチ穴の領域の位置に基づいて、いずれの集約が行われたかを判定する判定手段と、
前記判定手段により判定されたいずれの集約であるかを示す情報をレイアウト情報として取得するレイアウト取得手段と、
前記レイアウト情報に基づいて前記画像データを集約される前の画像データに処理する非集約処理手段と、
前記非集約処理手段により処理された集約前の画像データに対して、画像補正を行う画像補正手段と、
前記画像補正手段により画像補正された画像データを配信する配信手段と
を備える画像処理システム。
【請求項５】
前記レイアウト取得手段はさらに、
前記画像データに、いずれの集約であるかを示す前記レイアウト情報を識別するレイアウト識別情報が付加されている場合、前記レイアウト識別情報を読み取ることで、前記レイアウト情報を取得する請求項４記載の画像処理システム。
【請求項６】
前記画像形成装置は、
前記非集約処理を行うか否かを示す選択情報を属性情報に含めて前記画像データとともに、前記画像処理装置に送信し、
前記画像処理装置は、
前記属性情報を取得する属性情報取得手段と、
前記属性情報に含まれる前記選択情報に基づいて前記非集約処理を行うか否かを決定する決定手段とをさらに備える請求項４又は５に記載の画像処理システム。
【請求項７】
前記画像形成装置は、
前記画像データをプレビューする表示手段をさらに備え、
前記画像処理装置は、
前記集約前の画像データ及び／又は前記画像補正された画像データを、前記表示手段で表示可能なデータ形式に変換する変換手段と、
前記変換手段により変換された画像データをプレビュー用として前記画像形成装置に送信する送信手段とをさらに備える請求項４乃至６いずれか一項に記載の画像処理システム。
【請求項８】
画像データを取得して、前記画像データを配信する機能を有する画像処理装置における画像処理方法であって、
前記画像データにおける所定領域のパンチ穴を検出する検出ステップと、
前記検出ステップにより検出されたパンチ穴の領域の位置に基づいて、いずれの集約が行われたかを判定する判定ステップと、
前記判定ステップにより判定されたいずれの集約であるかを示す情報をレイアウト情報として取得するレイアウト取得ステップと、
前記レイアウト情報に基づいて前記画像データを集約される前の画像データに処理する非集約処理ステップと、
前記非集約処理ステップにより処理された集約前の画像データに対して、画像補正を行う画像補正ステップと、
前記画像補正ステップにより画像補正された画像データを配信する配信ステップと
を有する画像処理方法。
【請求項９】
画像データを取得する画像取得ステップと、
取得された前記画像データにおける所定領域のパンチ穴を検出する検出ステップと、
前記検出ステップにより検出されたパンチ穴の領域の位置に基づいて、いずれの集約が行われたかを判定する判定ステップと、
前記判定ステップにより判定されたいずれの集約であるかを示す情報をレイアウト情報として取得するレイアウト取得ステップと、
前記レイアウト情報が集約を示す場合、前記レイアウト情報に基づいて前記画像データを集約される前の画像データに処理する非集約処理ステップと、
前記非集約処理ステップにより処理された集約前の画像データに対して、画像補正を行う画像補正ステップと、
前記画像補正ステップにより画像補正された画像データを配信する配信ステップと
をコンピュータに実行させるためのプログラム。
【請求項１０】
請求項９に記載されたプログラムを記録したコンピュータ読み取り可能な記録媒体。
【発明の詳細な説明】
【技術分野】
【０００１】
本発明は、画像データの配信を行う画像処理装置、画像処理システム、画像処理方法、プログラム、及び記録媒体に関する。
【背景技術】
【０００２】
近年、多くの企業において、多機能複合機などの画像入出力機器のネットワーク上への配置・接続が進んでいる。画像入出力機器は、業務の効率化を図る手段として大きな役割を担っている。特に、紙文書の電子化と配布を効率的に行う画像配信システムが重要になっている。画像配信システムを構成する大きな要素は、画像入力機器（例えば、スキャナなど）と配信管理サーバである。配信管理サーバには、あらかじめさまざまな業務・用途にあわせた複数の配信処理メニューが登録されている。利用者は、スキャナのオペレーションパネル（操作部）から、業務に適した処理メニューを選択してスキャンを行う。
【０００３】
例えば、特開２００６−０１８６４０号公報（特許文献１）には、配信処理や画像変換処理をプラグイン化し、ユーザや管理者がそれらプラグインを任意に組み合わせて入力、画像変換、出力のワークフローを作成し、作成されたワークフローを利用して画像データの配信処理を行う技術が開示されている。
【０００４】
また、前述した画像配信システムにおいて、読み込んだ文書に対して天地識別やパンチ穴除去といった画像補正処理を施した上で配信することができるものがある。画像補正処理を行うには、画像の方向を判定するとよい。
【０００５】
例えば、特開平０６−１９５５０２号公報（特許文献２）には、文書画像方向の認識不能時においても、適切なリカバリー処理を行って画像方向判定の信頼を高める技術が開示されている。
【発明の概要】
【発明が解決しようとする課題】
【０００６】
しかし、前述した画像配信システムに、前述した文書画像の方向性判定を適用したとしても、文書が集約印刷されていたものである場合、文書画像の方向性を判定できず画像補正処理が実施されない、もしくは誤った処理が施される可能性がある。
【０００７】
例えば、スキャン画像に対してパンチ穴除去をして配信する場合を考える。図１は、集約されたデータが画像補正できない例を示す図である。図１（Ａ）は、非集約の画像データであるため、パンチ穴を除去可能なことを示す。図１（Ｂ）は、集約された画像データであるため、パンチ穴を除去できないことを示す。集約された画像データは、所定大きさのパンチ穴を検出する範囲内にパンチ穴がないため、パンチ穴を除去することができない。つまり、集約印刷などにより集約された画像データの場合、画像補正処理が正しく実施されない可能性があるという問題点があった。
【０００８】
そこで、本発明は、上記問題点に鑑みてなされたものであり、集約された画像データを取得した場合、非集約の状態に戻して画像補正処理を行うことで、適切に画像補正処理を行うことができる画像処理装置、画像処理システム、画像処理方法、プログラム、及び記録媒体を提供することを目的とする。
【課題を解決するための手段】
【０００９】
本発明における一観点の画像処理装置は、画像データを取得して、前記画像データを配信する機能を有する画像処理装置であって、前記画像データにおける所定領域のパンチ穴を検出する検出手段と、前記検出手段により検出されたパンチ穴の領域の位置に基づいて、いずれの集約が行われたかを判定する判定手段と、前記判定手段により判定されたいずれの集約であるかを示す情報をレイアウト情報として取得するレイアウト取得手段と、前記レイアウト情報に基づいて前記画像データを集約される前の画像データに処理する非集約処理手段と、前記非集約処理手段により処理された集約前の画像データに対して、画像補正を行う画像補正手段と、前記画像補正手段により画像補正された画像データを配信する配信手段とを備える。
【００１０】
また、本発明における他の観点の画像処理システムは、ネットワークを介して画像形成装置と画像処理装置とが接続される画像処理システムであって、前記画像形成装置は、画像データを前記画像処理装置に送信する送信手段を備え、前記画像処理装置は、前記画像データを前記画像形成装置から受信する受信手段と、前記画像データにおける所定領域のパンチ穴を検出する検出手段と、前記検出手段により検出されたパンチ穴の領域の位置に基づいて、いずれの集約が行われたかを判定する判定手段と、前記判定手段により判定されたいずれの集約であるかを示す情報をレイアウト情報として取得するレイアウト取得手段と、前記レイアウト情報に基づいて前記画像データを集約される前の画像データに処理する非集約処理手段と、前記非集約処理手段により処理された集約前の画像データに対して、画像補正を行う画像補正手段と、前記画像補正手段により画像補正された画像データを配信する配信手段とを備える。
【００１１】
また、本発明における他の観点の画像処理方法は、画像データを取得して、前記画像データを配信する機能を有する画像処理装置における画像処理方法であって、前記画像データにおける所定領域のパンチ穴を検出する検出ステップと、前記検出ステップにより検出されたパンチ穴の領域の位置に基づいて、いずれの集約が行われたかを判定する判定ステップと、前記判定ステップにより判定されたいずれの集約であるかを示す情報をレイアウト情報として取得するレイアウト取得ステップと、前記レイアウト情報に基づいて前記画像データを集約される前の画像データに処理する非集約処理ステップと、前記非集約処理ステップにより処理された集約前の画像データに対して、画像補正を行う画像補正ステップと、前記画像補正ステップにより画像補正された画像データを配信する配信ステップとを有する。
【００１２】
また、本発明の画像処理システム、画像処理装置、及び画像処理方法は、コンピュータにより実行可能なプログラムにより実現することができ、また、プログラムを記録した記録媒体をコンピュータに読み取らせて実現することも可能である。
【発明の効果】
【００１３】
本発明によれば、集約された画像データを取得した場合、非集約の状態に戻して画像補正処理を行うことで、適切に画像補正処理を行うことができる画像形成装置、画像処理システム、情報処理方法、プログラム、及び記録媒体を提供することができる。
【図面の簡単な説明】
【００１４】
【図１】集約されたデータが画像補正できない例を示す図。
【図２】実施例１に係る画像処理システムの一例を示すブロック図。
【図３】実施例１に係るＭＦＰのハードウェア構成の一例を示すブロック図。
【図４】実施例１に係る画像処理サーバのハードウェア構成の一例を示すブロック図。
【図５】ＭＦＰと画像処理サーバとの機能構成の一例を示すブロック図。
【図６】自動取得する場合のレイアウト取得手段の機能構成の一例を示すブロック図。
【図７】集約された画像データのパンチ穴検出の例を示す図。
【図８】識別情報を取得する場合のレイアウト取得手段の機能構成の一例を示すブロック図。
【図９】レイアウト情報を識別情報として印刷した用紙の例を示す図。
【図１０】レイアウト情報を指定する場合のレイアウト取得手段の機能構成の一例を示すブロック図。
【図１１】オペレーションパネルでレイアウト情報を指定する例を示す図。
【図１２】ワークフロー処理手段の機能構成の一例を示すブロック図。
【図１３】画像補正手段の機能構成の一例を示すブロック図。
【図１４】非集約処理、パンチ穴除去処理、天地識別処理を行った画像データの例を示す図。
【図１５】実施例１における画像配信処理の一例を示すフローチャート。
【図１６】実施例２に係るＭＦＰ及び画像処理サーバの機能構成の一例を示すブロック図。
【図１７】オペレーションパネルに表示される画像データの一例を示す図。
【図１８】実施例２におけるプレビュー表示処理の一例を示すフローチャート。
【図１９】実施例３に係る画像処理システムの機能構成の一例を示すブロック図。
【図２０】実施例４に係る画像処理サーバの機能構成の一例を示すブロック図。
【発明を実施するための形態】
【００１５】
以下、添付図面を参照して、本発明にかかる画像処理システム（又は画像配信システム）、画像処理装置（又は画像処理サーバ）、画像処理方法、プログラム及び記録媒体の実施例を詳細に説明する。
【００１６】
また、以下に示す実施例では、画像データを入力する画像入力装置として、プリンタ機能、スキャナ機能、コピー機能、ファクシミリ機能を一つの筐体に搭載した複合機を例にあげて説明しているが、これに限定されるものではない。本発明は、画像データを入力可能であれば、スキャナ装置、ファクシミリ装置、コピー装置などいずれにも適用することができる。
【００１７】
［実施例１］
＜システム構成とハードウェア構成＞
図２は、実施例１に係る画像処理システムの一例を示すブロック図である。図１に示すように、画像処理システムは、ネットワークを介してＭＦＰ（Multifunction Peripheral）１０、ＭＦＰ２０、画像処理サーバ３０、画像管理サーバ４０、情報処理端末（例えば、ＰＣ（Personal Computer）、ＰＤＡ（Personal Data Assistance）など）５０が接続されている。以下、画像形成装置はＭＦＰを例にして説明する。
【００１８】
ＭＦＰ１０、２０は、スキャン機能、コピー機能、プリンタ機能、ファクシミリ機能などを一つの筐体に搭載したものである。ＭＦＰ１０、２０は、スキャナ機能により紙媒体等をスキャン処理して画像データを生成し、生成された画像データを画像処理サーバ３０に送信する。ＭＦＰの詳細については後述する。また、画像データは、文書の画像データを含む。
【００１９】
画像処理サーバ３０は、各ＭＦＰでスキャンされた画像データを受信して、指定されたワークフローに従って種々の処理や配信処理を実行するワークステーション等のコンピュータである。ワークフローには、メール送信、ＦＡＸ送信、フォルダ配信などがある。
【００２０】
また、画像処理サーバ３０は、入力された画像データに基づいてワークフローを実行するサーバであり、ユーザによって構築されたワークフローに従って文書の蓄積又は配信処理を実行する。即ち、画像を処理するという観点において、画像処理サーバ３０も画像処理装置として機能する。画像処理サーバ３０の詳細については後述する。なお、画像処理サーバ３０は、ＭＦＰ１０、２０に組み込まれてもよい。
【００２１】
画像管理サーバ４０は、画像処理サーバ３０から配信された画像データを蓄積、管理するサーバである。また、画像管理サーバ４０は、蓄積した画像データに対して画像タイプを登録したり、検索を行ったりすることもできる。
【００２２】
情報処理端末５０は、管理者によりデータ配信に関する管理ツールが起動され、入力、画像変換、出力の各プラグインが順に選択されることでワークフローを作成する。なお、ネットワークを介して接続されるＭＦＰやサーバや情報処理端末の数は、それぞれ任意の数でもよい。また、画像処理サーバ３０がＭＦＰに組み込まれる場合は、ＭＦＰにおいて、ワークフローを作成することも可能である。
【００２３】
実施例１に係るＭＦＰ１０と画像処理サーバ３０とのハードウェア構成例について説明する。図３は、実施例１に係るＭＦＰ１０のハードウェア構成の一例を示すブロック図である。
【００２４】
図３に示すように、ＭＦＰ１０は、制御部１１、主記憶部１２、補助記憶部１３、外部記憶装置Ｉ／Ｆ部１４、ネットワークＩ／Ｆ部１６、操作部１７、表示部１８を含む。
【００２５】
制御部１１は、コンピュータの中で、各装置の制御やデータの演算、加工を行うＣＰＵである。また、制御部１１は、主記憶部１２に記憶されたプログラムを実行する演算装置であり、入力装置や記憶装置からデータを受け取り、演算、加工した上で、出力装置や記憶装置に出力する。
【００２６】
主記憶部１２は、ＲＯＭ（Read Only Memory）やＲＡＭ（Random Access Memory）などであり、制御部１１が実行する基本ソフトウェアであるＯＳやアプリケーションソフトウェアなどのプログラムやデータを記憶又は一時保存する記憶装置である。
【００２７】
補助記憶部１３は、ＨＤＤ（Hard Disk Drive）などであり、アプリケーションソフトウェアなどに関連するデータを記憶する記憶装置である。
【００２８】
外部記憶装置I／F部１４は、ＵＳＢ（Universal Serial Bus）などのデータ伝送路を介して接続された記憶媒体１５（例えば、フラッシュメモリなど）とＭＦＰ１０とのインタフェースである。
【００２９】
また、記憶媒体１５に、所定のプログラムを格納し、この記憶媒体１５に格納されたプログラムは外部記憶装置Ｉ／Ｆ部１４を介してＭＦＰ１０にインストールされ、インストールされた所定のプログラムはＭＦＰ１０により実行可能となる。
【００３０】
ネットワークＩ／Ｆ部１６は、有線及び／又は無線回線などのデータ伝送路により構築されたＬＡＮ（Local Area Network）、ＷＡＮ（Wide Area Network）などのネットワークを介して接続された通信機能を有する周辺機器とＭＦＰ１０とのインタフェースである。
【００３１】
操作部１７や表示部１８は、キースイッチ（ハードキー）とタッチパネル機能（ＧＵＩのソフトウェアキーを含む：Graphical User Interface）を備えたＬＣＤ（Liquid Crystal Display）とから構成され、ＭＦＰ１０が有する機能を利用する際のＵＩ（User Interface）として機能する表示及び／又は入力装置である。
【００３２】
図４は、実施例１に係る画像処理サーバ３０のハードウェア構成の一例を示すブロック図である。図４に示すように、画像処理サーバ３０は、制御部３１、主記憶部３２、補助記憶部３３、外部記憶装置Ｉ／Ｆ部３４、ネットワークＩ／Ｆ部３６を含む。
【００３３】
制御部３１は、コンピュータの中で、各装置の制御やデータの演算、加工を行うＣＰＵである。また、制御部３１は、主記憶部３２に記憶されたプログラムを実行する演算装置であり、入力装置や記憶装置からデータを受け取り、演算、加工した上で、出力装置や記憶装置に出力する。
【００３４】
主記憶部３２は、ＲＯＭ（Read Only Memory）やＲＡＭ（Random Access Memory）などであり、制御部３１が実行する基本ソフトウェアであるＯＳやアプリケーションソフトウェアなどのプログラムやデータを記憶又は一時保存する記憶装置である。
【００３５】
補助記憶部３３は、ＨＤＤ（Hard Disk Drive）などであり、アプリケーションソフトウェアなどに関連するデータを記憶する記憶装置である。
【００３６】
外部記憶装置I／F部３４は、ＵＳＢ（Universal Serial Bus）などのデータ伝送路を介して接続された記憶媒体１５（例えば、フラッシュメモリなど）と当該画像処理サーバとのインタフェースである。
【００３７】
また、記憶媒体１５に、所定のプログラムを格納し、この記憶媒体１５に格納されたプログラムは外部記憶装置Ｉ／Ｆ部３４を介して画像処理サーバ３０にインストールされ、インストールされた所定のプログラムは画像処理サーバ３０により実行可能となる。
【００３８】
ネットワークＩ／Ｆ部３６は、有線及び／又は無線回線などのデータ伝送路により構築されたＬＡＮ（Local Area Network）、ＷＡＮ（Wide Area Network）などのネットワークを介して接続された通信機能を有する周辺機器と当該画像処理サーバとのインタフェースである。
【００３９】
＜機能構成＞
次に、ＭＦＰ１０と画像処理サーバ３０との機能について説明する。図５は、ＭＦＰ１０と画像処理サーバ３０との機能構成の一例を示すブロック図である。まず、ＭＦＰ１０の機能構成について説明する。図５に示すように、ＭＦＰ１０は、画像読込手段１０１、属性情報取得手段１０２、通信手段１０３、記憶手段１０４を含む。その他一般的なＭＦＰが有するプリンタ機能やコピー機能やＦＡＸ機能等については図示していない。
【００４０】
画像読込手段１０１は、スキャン機能により原稿を読み込んで画像データを取得する。画像データの取得については、ＦＡＸで受信したり、情報処理端末５０から取得したりしてもよい。
【００４１】
属性情報取得手段１０２は、画像読込手段１０１により取得された画像データの属性情報を取得する。属性情報は、操作部１７などによりユーザにより入力された画像の書誌情報や、レイアウト情報などを含む。また、属性情報は、画像データの配信処理に用いられるため配信設定情報ともいう。配信設定情報には、ワークフローに含まれる各プラグインの設定情報も含まれる。
【００４２】
通信手段１０３は、属性情報取得手段１０２が取得した属性情報や、画像読込手段１０１が取得した画像データなどの送受信を行う。特に、通信手段１０３は、画像データのワークフロー処理要求などがユーザから指示された場合、画像データ及び配信設定情報と当該処理要求とを画像処理サーバ３０に送信する。
【００４３】
記憶手段１０４は、入力処理、画像変換処理、又は出力処理の各プラグインを格納し、また、各プラグインが組み合わされたワークフローを１又は複数格納する。なお、記憶手段１０３は必ずしも設ける必要はなく、画像処理サーバ３０の記憶手段３０６からワークフローに関する情報を取得するようにしてもよい。
【００４４】
次に、画像処理サーバ３０の機能構成について説明する。画像処理サーバ３０は、通信手段３０１、レイアウト取得手段３０２、ジョブ実行手段３０３、ワークフロー制御手段３０４、ワークフロー処理手段３０５、記憶手段３０６を含む。
【００４５】
通信手段３０１は、画像データなどの送受信を行う。特に、通信手段３０１は、ＭＦＰ１０から画像データを受信したり、ワークフローの配信先に対し、画像処理した画像データを送信したりする。
【００４６】
また、通信手段３０１は、ワークフローの識別情報や、ワークフローの各処理の配信設定情報などをＭＦＰ１０から受信する。通信手段３０１は、ＭＦＰ１０からワークフローの処理要求（ジョブ要求）を受信した場合は、ワークフローの識別情報や、ワークフローの各処理の配信設定情報などをジョブ実行手段３０３に出力する。
【００４７】
レイアウト取得手段３０２は、画像データのレイアウト情報を取得する。レイアウト情報とは、画像データが集約されたデータであるか否かを示す情報である。また、レイアウト情報は、集約されたデータとして２ｉｎ１、４ｉｎ１、９ｉｎ１などの詳細な集約情報も含む。レイアウト取得手段３０２は、取得したレイアウト情報を後述する非集約処理手段３５１に出力する。なお、レイアウト取得手段３０２の詳細は図６〜図１１を用いて後述する。
【００４８】
ジョブ実行手段３０３は、ＭＦＰ１０から要求されたジョブを実行する。ジョブ実行手段３０３は、ワークフロー制御手段３０４に対し、ワークフローの処理要求を行うと共に、ワークフローの識別情報やワークフローの各処理の配信設定情報、画像データを出力する。
【００４９】
ワークフロー制御手段３０４は、ジョブ実行手段３０３からワークフローの処理要求を受けた場合、ワークフローに含まれる各処理の実行を制御する。
【００５０】
また、ワークフロー処理手段（配信手段）３０５は、ワークフロー制御手段３０４からワークフロー制御の指示を受けると、この指示に従ってワークフローを実行し、配信処理を行う。つまり、ワークフロー処理手段３０５は、ワークフローに含まれる各処理をフロー順に実行し、配信先へ画像データを配信する。
【００５１】
なお、ワークフロー処理手段３０５が行う各処理は、振り分け処理、画像処理、配信処理（出力処理）に分けられる。振り分け処理とは、画像データをどこに配信するかを振り分ける処理のことを言う。例えば、フォルダに配信するのか、メールサーバに送信するのかなどをワークフローに含まれる最終的な処理に基づいて判定する。
【００５２】
画像処理とは、ＰＤＦ変換やＴＩＦＦ変換などの画像変換を行う処理や非集約処理のことを言う。配信処理とは、振り分け処理において振り分けされた配信先に画像データを配信する処理のことを言う。また、ワークフロー処理手段３０５において、少なくとも配信処理は行われることとする。なお、ワークフロー処理手段３０５の詳細は、図１２、図１３を用いて後述する。
【００５３】
記憶手段３０６は、入力処理、画像変換処理、又は出力処理の各プラグインを格納し、また、各プラグインが組み合わされたワークフローを１又は複数格納する。
【００５４】
ワークフローの設定についてはワークフロー設定手段（不図示）が行う。ワークフロー設定手段は、入力処理、画像変換処理、又は出力処理の各プラグインを任意に組み合わせたワークフローをユーザにより設定された場合、設定されたワークフローを例えばＸＭＬ形式で記憶手段３０６に記憶する。
【００５５】
次に、レイアウト取得手段３０２の詳細について説明する。レイアウト情報の取得については様々な方法が考えられるが、本発明では以下の３つの方法について説明する。なお、本発明では、いずれか１つの方法を有する構成としても良いし、複数の方法を有する構成としても良い。
【００５６】
（自動取得処理）
ワークフローを実行する際、ユーザによりパンチ穴除去処理が指定された場合、また、綴じ部補正処理が指定された場合などに自動でレイアウト情報を取得する。なお、パンチ穴除去に係る情報や綴じ部補正に係る情報などは配信設定情報として、ＭＦＰ１０から画像処理サーバ３０に送信される。図６は、自動取得する場合のレイアウト取得手段３０２の機能構成の一例を示すブロック図である。
【００５７】
図６に示すように、レイアウト取得手段３０２は、パンチ穴検出手段３２１、集約判定手段３２２、綴じ部検出手段３２３を含む。パンチ穴検出手段３２１は、画像データの所定の領域に対して、所定の大きさのパンチ穴である黒丸を検出する。パンチ穴検出については図７を用いて説明する。
【００５８】
図７は、集約された画像データのパンチ穴検出の例を示す図である。図７（Ａ）は、２ｉｎ１の集約データに対するパンチ穴を検出する例を示す。図７（Ａ）に示すように、２ｉｎ１の集約データの場合であれば、パンチ穴は、斜線の領域ａ及び領域ｂで検出される。
【００５９】
パンチ穴検出手段３２１は、領域ａ及び領域ｂそれぞれにおいて、パンチ穴（黒丸）を検出し、パンチ穴が２つ以上検出された領域を集約判定手段３２２に出力する。
【００６０】
また、図７（Ｂ）は、４ｉｎ１の集約データに対するパンチ穴を検出する例を示す。図７（Ｂ）に示すように、４ｉｎ１の集約データであれば、パンチ穴は、斜線の領域ｃ、ｄ、ｅ、ｆで検出される。
【００６１】
パンチ穴検出手段３２１は、領域ｃ、ｄ、ｅ、ｆそれぞれにおいて、パンチ穴を検出し、パンチ穴が２つ以上検出された領域を集約判定手段３２２に出力する。
【００６２】
なお、パンチ穴検出手段３２１は、集約数の多い画像データの領域から検出を行い、パンチ穴が検出されなければ次に集約数の多い画像データの領域に対して検出を行う。つまり、４ｉｎ１から検出を始めるとすると、まず、パンチ穴検出手段３２１は、領域ｃ〜ｆのそれぞれの領域においてパンチ穴の検出を行う。パンチ穴検出手段３２１は、それぞれの領域でパンチ穴が検出できた場合、検出した領域の情報を集約判定手段３２２に出力し、検出処理を終了する。
【００６３】
パンチ穴検出手段３２１は、領域ｃ〜ｆのそれぞれでパンチ穴が検出できなければ、２ｉｎ１の領域ａ、ｂについてパンチ穴の検出を行う。パンチ穴検出手段３２１は、それぞれの領域ａ、ｂでパンチ穴が検出できた場合、検出した領域の情報を集約判定手段３２２に出力し、検出処理を終了する。
【００６４】
パンチ穴検出手段３２１は、領域ａ、ｂでパンチ穴を検出できなかった場合、検出なしの結果を集約判定手段３２２に出力する。なお、それぞれの領域で上下、又は左右対称の２つの領域（例えば領域ａ１とａ２）について検出する理由は、例えば、文書を集約印刷する場合に、文書が上下逆にスキャンされた場合は、パンチ穴が逆の領域に現れるからである。よって、１枚の画像において、パンチ穴が検出される可能性がある領域に対してパンチ穴検出を行う。
【００６５】
なお、図７に示す例では、集約前の１枚の画像に対して左右の領域のパンチ穴検出を行なっているが、さらに上下の領域に対してもパンチ穴検出を行ってもよい。
【００６６】
集約判定手段３２２は、パンチ穴検出手段３２１から取得した領域情報に基づいて、いずれの集約がされているかを判定する。例えば、集約判定手段３２２は、領域ｃ〜ｆの情報を取得した場合、画像データは４ｉｎ１であると判定し、また、領域ａ、ｂの情報を取得した場合、画像データは２ｉｎ１であると判定する。また、集約判定手段３２２は、検出なしの情報を取得した場合、画像データは非集約であると判定する。
【００６７】
このとき、レイアウト取得手段３０２は、集約判定手段３２２により判定された４ｉｎ１や２ｉｎ１などの情報をレイアウト情報とする。
【００６８】
綴じ部検出手段３２３は、画像データの中央部にスキャン時の影や歪があるか否かを検出する。なお、綴じ部とは、厚みのある本などを見開いたときの中央部のことをいう。綴じ部検出については従来と同様の処理を行えばよいため、説明を省略する。綴じ部検出手段３２３は、綴じ部を検出できた場合、検出したことを示す情報を集約判定手段３２２に出力する。このとき、集約判定手段３２２は、綴じ部検出手段３２３から情報を取得した場合、画像データは２ｉｎ１であると判定する。
【００６９】
（識別情報取得処理）
次に、レイアウト情報をバーコードやＱＲコードなどの識別情報とする例について説明する。まず、レイアウト情報が識別できるバーコードを印刷した用紙を、フロントページとしてスキャンさせる。このとき、レイアウト取得手段３０２は、識別情報からレイアウト情報を取得する。
【００７０】
図８は、識別情報を取得する場合のレイアウト取得手段３０２の機能構成の一例を示すブロック図である。図８に示すように、レイアウト取得手段３０２は、レイアウト識別情報取得手段３２４を含む。
【００７１】
レイアウト識別情報取得手段３２４は、スキャン画像のフロンページにあるパーコードなどの識別情報を解析してレイアウト情報を取得する。ここでのレイアウト情報には２ｉｎ１や４ｉｎ１などの情報が含まれる。
【００７２】
図９は、レイアウト情報を識別情報として印刷した用紙の例を示す図である。図９に示す例では、レイアウト情報を示すＱＲコードが印刷された用紙を、フロントページとした場合の例である。
【００７３】
レイアウト情報取得手段３２４は、この原稿をスキャンしたフロントページに対してＱＲコードのリーダなどにより認識を行えば、レイアウト情報を取得することができる。なお、識別情報が印刷された用紙はフロントページである必要はない。どこに挿入したかが分かりさえすれば、任意のページに挿入することができる。
【００７４】
（指定されたレイアウト情報の取得処理）
次に、ユーザにより明示的にレイアウト情報が指定される場合について説明する。ユーザは、操作部１７でワークフローを指定して原稿をスキャンするときに、原稿のレイアウト情報を指定してもよい。
【００７５】
図１０は、レイアウト情報を指定する場合のレイアウト取得手段３０２の機能構成の一例を示すブロック図である。図１０に示すように、レイアウト取得手段３０２は、指定情報取得手段３２５を含む。
【００７６】
指定情報取得手段３２５は、操作部１７などを用いてユーザにより指定されたレイアウト情報を取得する。具体的には、オペレーションパネルなどで２ｉｎ１や４ｉｎ１などを指定できるようにし、指定された２ｉｎ１などの情報をレイアウト情報とする。
【００７７】
図１１は、オペレーションパネルでレイアウト情報を指定する例を示す図である。図１１に示すように、レイアウト情報を指定する場合に、集約の際のページ関係を合わせて指定できるようにしてもよい。
【００７８】
次に、ワークフロー処理手段３０５について説明する。図１２は、ワークフロー処理手段３０５の機能構成の一例を示すブロック図である。図１２に示すように、ワークフロー処理手段３０５は、非集約処理手段３５１、画像補正手段３５２、集約処理手段３５３、画像変換手段３５４、フォルダ配信手段３５５、メール送信手段３５６を含む。
【００７９】
また、ワークフロー処理手段３０５に含まれるそれぞれの手段は、プラグインとして実現されているとする。なお、非集約処理手段３５１については、１つのプラグインとしてもよいし、画像補正手段３５２のそれぞれのプラグインに組み込まれてもよい。
【００８０】
非集約処理手段３５１は、レイアウト取得手段３０２から取得したレイアウト情報に基づいて、集約された画像データを非集約された画像データに変換する。つまり、非集約処理手段３５１は、集約された画像データを集約される前の画像データに戻す処理を行う。具体的には、非集約処理手段３５１は、レイアウト情報が２ｉｎ１を示す場合、画像データを上下半分に分割し、分割した画像を２倍して９０度左に回転させる。さらに、非集約処理手段３５１は、上の画像、下の画像の順に２倍した画像を並べる。つまり、上の画像を下の画像よりも先（ページが先）の画像として扱う。
【００８１】
また、非集約処理手段３５１は、レイアウト情報が４ｉｎ１を示す場合、画像データを４分割し、分割した画像を４倍にする。さらに、非集約処理手段３５１は、左上、右上、左下、右下の順に４倍した画像を並べる。これより、集約された画像データは、集約される前の１枚１枚の画像データに戻すことができる。
【００８２】
画像補正手段３５２は、画像データに対して、ワークフローに含まれる画像補正処理を行う。図１３は、画像補正手段の機能構成の一例を示すブロック図である。図１３に示すように、画像補正手段３５２は、パンチ穴除去処理手段４００、天地識別処理手段４０１、綴じ部補正処理手段４０２を含む。
【００８３】
パンチ穴除去処理手段４００は、１枚の画像データの右端、左端、又は上下の所定の領域からパンチ穴を検出し、除去する。
【００８４】
天地識別処理手段４０１は、画像データの天地を判定し、画像データが逆さまになっていると判定した場合は、正しい方向に画像データを回転させる。
【００８５】
綴じ部補正処理手段４０２は、画像データの上下方向に対して黒画素のヒストグラムを作成することで、綴じ部を検出することは可能である。また、ページ外形を抽出して、画像中央部のくぼみの変化を利用して綴じ部の位置を検出することもできる。画像補正手段３５２の各処理は従来技術を用いればよいため、ここでの詳細な説明は省略する。
【００８６】
ここで、非集約処理、パンチ穴除去処理、天地識別処理の具体例について説明する。図１４は、非集約処理、パンチ穴除去処理、天地識別処理を行った画像データの例を示す図である。図１４に示すように、まずは非集約処理が行われる。非集約処理手段３５１によって、レイアウト情報を用いることで集約された画像データが一枚一枚の画像データになる。次に、画像補正手段３５２によって、非集約状態になった画像データに対してパンチ穴除去処理、天地識別処理を行うことで、パンチ穴のない天地が整った画像データを生成することができる。
【００８７】
図１２に戻り、集約処理手段３５３は、画像補正手段３５２により画像補正された画像データに対して、再度集約処理を行う。これは、配信先のユーザによっては、集約状態で画像データを取得したいという要望があるからである。
【００８８】
なお、再度集約処理を行うか否かは、デフォルトで再度集約処理を行うことに設定しておき、ユーザにより、オペレーションパネルで画像補正後の集約処理を行わないことを指示された場合に、集約処理を行わないとしてもよい。また、非集約処理手段３５１及び集約処理手段３５３は、画像補正手段３５２の処理の一つとして構成してもかまわない。
【００８９】
画像変換手段３５４は、画像データのデータ形式を変換する。例えば、画像変換手段３５４は、ＰＤＦ形式、ＪＰＥＧ形式、ＢＭＰ形式など、所望のデータ形式に変換することができる。
【００９０】
フォルダ配信手段３５５は、予め設定されているフォルダに画像データを配信する。メール送信手段３５６は、予め設定されている送信者に画像データを添付してメールを送信する。以上、集約された画像データを一枚一枚の画像データに戻すことで画像補正処理を適切に行うことができる。
【００９１】
＜動作＞
次に、実施例１に係る画像処理システムの動作について説明する。図１５は、実施例１における画像配信処理の一例を示すフローチャートである。図１５に示すステップＳ１１において、画像読込手段１０１は、画像をスキャンして読み込む。
【００９２】
ステップＳ１２において、レイアウト取得手段３０２は、レイアウト情報を取得する。レイアウトの取得については、上記３つの方法のうち何れかの方法を用いればよい。なお、自動取得処理については、パンチ穴除去や綴じ部補正処理が、ユーザにより指示されたことが検出された場合にのみ行うようにすればよい。
【００９３】
ステップＳ１３において、非集約処理手段３５１は、レイアウト取得手段３０２が取得したレイアウト情報に基づき、集約された画像データを集約前の状態の画像データに変換する。
【００９４】
ステップＳ１４において、画像補正手段３５２は、集約前の画像データに対して、画像補正処理を実行する。画像補正処理は、パンチ穴除去、天地識別、綴じ部補正の少なくとも１つの処理を行う。
【００９５】
ステップＳ１５において、ワークフロー処理手段３０５は、画像補正された画像データを、ワークフローに従って配信処理を行う。
【００９６】
以上、実施例１によれば、集約された画像データを取得した場合、非集約の状態に戻して画像補正処理を行うことで、適切に画像補正処理を行うことができる。また、実施例１によれば、パンチ穴検出や綴じ部検出によりレイアウト情報を自動で取得することもできる。
【００９７】
［実施例２］
次に、実施例２における画像処理システムについて説明する。実施例２では、集約前の画像データ及び／又は画像補正された画像データをＭＦＰのプレビュー機能を用いて表示部１８に表示する。これにより、集約前の画像データに適切に変換されたか、又は適切に画像補正されたかをユーザは知ることができる。
【００９８】
＜機能構成＞
実施例２に係る画像処理システムの構成について説明する。図１６は、実施例２に係るＭＦＰ６０及び画像処理サーバ７０の機能構成の一例を示すブロック図である。図１６に示す機能において、図５に示す機能と同様の機能のものは同じ符号を付し、その説明を省略する。
【００９９】
まず、画像処理サーバ７０から説明する。画像処理サーバ７０に含まれるワークフロー処理手段７０１は、ＭＦＰ６０のプレビュー表示可能なデータ形式に画像データを変換した後、通信手段７０２に変換後のデータを出力する。なお、データ形式を変換するのは画像変換手段３５４である。また、変換対象の画像データは、集約前の画像データ及び／又は画像補正された画像データである。
【０１００】
また、ＭＦＰ６０によりプレビュー表示可能なデータ形式について、実施例２ではＪＰＥＧ形式として説明するが、ＢＭＰ形式でもよい。一般的にスキャンされたデータ形式はＰＤＦ形式であるので、画像変換手段３５４は、ＰＤＦ形式の画像データをＪＰＥＧ形式に変換する。ＭＦＰ６０がプレビュー表示するデータ形式については、画像処理サーバ７０に予め設定されているとする。通信手段７０２は、プレビュー用の画像データをＭＦＰ６０に送信する。
【０１０１】
次に、ＭＦＰ６０の機能について説明する。通信手段６０１は、画像処理サーバ７０からプレビュー用の画像データを取得する。取得した画像データはプレビュー表示手段６０２に出力される。
【０１０２】
プレビュー表示手段６０２は、通信手段６０１から取得したプレビュー用の画像データをオペレーションパネルに表示する。図１７は、オペレーションパネルに表示される画像データの一例を示す図である。
【０１０３】
図１７に示す例では、プレビュー画面に、集約前の画像データであり、かつ画像補正（パンチ穴除去）された画像データが表示される。以上より、ユーザは所望の画像データに変換されたか否かを確認することができる。
【０１０４】
＜動作＞
次に、実施例２に係る画像処理システムの動作について説明する。図１８は、実施例２におけるプレビュー表示処理の一例を示すフローチャートである。図１８に示す処理において、図１５に示す処理と同様の処理を行うものは同じ符号を付し、その説明を省略する。
【０１０５】
図１８に示すステップＳ２１において、画像処理サーバ７０は、プレビュー表示するのに画像変換が必要か否かを判定する。この判定は、集約前の画像データや画像補正された画像データのデータ形式と、プレビューするためのデータ形式とが同じであるか否かを判定する。ステップＳ２１の判定結果がＹＥＳ（変換必要）であればステップＳ２２に進み、判定結果がＮＯ（変換不必要）であればステップＳ２３に進む。
【０１０６】
ステップＳ２２において、画像変換手段３５４は、集約前の画像データ及び／又は画像補正された画像データのデータ形式を、プレビューとして表示可能なデータ形式に変換する。例えば、ＰＤＦ形式からＪＰＥＧ形式に変換される。
【０１０７】
ステップＳ２３において、通信手段７０２は、プレビュー用の画像データをＭＦＰ６０に送信する。
【０１０８】
ステップＳ２４において、プレビュー表示手段６０２は、画像処理サーバ７０から取得したプレビュー用の画像データをオペレーションパネルに表示する。
【０１０９】
以上、実施例２によれば、集約前の画像データに適切に変換されたか、又は適切に画像補正されたかをユーザは確認することができる。ユーザは、所望の画像データに変換されていなければ、このジョブをキャンセルして再度ジョブを投入することができる。
【０１１０】
［実施例３］
次に、実施例３における画像処理システムについて説明する。実施例３では、ＭＦＰによりスキャンした画像だけではなく、ＭＦＰ内に格納されている電子データや、ＰＣ内に格納されている電子データに対しても、前述した配信処理を可能とする。
【０１１１】
＜機能構成＞
図１９は、実施例３に係る画像処理システムの機能構成の一例を示すブロック図である。図１９に示す機能において、図５に示す機能と同様の機能のものは同じ符号を付し、その説明を省略する。
【０１１２】
ＭＦＰ８０は、画像記憶手段８０１と、結合手段８０２をさらに含む。画像記憶手段８０１は、ＭＦＰ８０内で画像の電子データを記憶する。これにより、ＭＦＰ８０は、スキャン画像以外にも、画像記憶手段８０１で既に保持している画像データに対してもワークフローを実行することができる。
【０１１３】
結合手段８０２は、画像読込手段１０１により読み込まれたスキャン画像と、画像記憶手段８０１に記憶される画像データとを結合する。これにより、ＭＦＰ８０は、結合後の画像データに対しても、ワークフローを実行することが可能となる。なお、結合手段８０２は、画像データを結合する場合、それぞれのデータ形式をどちらかのデータ形式に統一して結合を行う。
【０１１４】
情報処理端末５０は、画像記憶手段５０１を含む。画像記憶手段５０１は、情報処理端末５０内のアプリケーションで生成された画像データを記憶する。実施例３における画像処理システムは、画像記憶手段５０１に記憶される画像データに対してもワークフローを実行することが可能である。ＭＦＰ８０でワークフローを指定する際に、情報処理端末５０のアドレス、フォルダ名、及びファイル名を指定することで、画像処理サーバ３０は、画像データを取得することができる。
【０１１５】
また、実施例３における画像処理システムは、各機器が共通してデータを共有フォルダに保存できるホットフォルダ機能を用いて、共有フォルダに格納された画像データに対してもワークフローを実行することができる。
【０１１６】
以上、実施例３によれば、ＭＦＰによりスキャンした画像だけではなく、ＭＦＰ内に格納されている電子データや、ＰＣ内に格納されている電子データに対しても、前述した配信処理を可能とする。
【０１１７】
［実施例４］
次に、実施例４に係る画像処理サーバについて説明する。実施例４では、ワークフローを実行する際、ユーザは、スキャン画像に対して非集約処理を行うか否かを指示することができる。
【０１１８】
＜機能構成＞
図２０は、実施例４に係る画像処理サーバ９０の機能構成の一例を示すブロック図である。図２０に示す機能において、図５に示す機能と同様の機能のものは同じ符号を付し、その説明を省略する。
【０１１９】
実施例４では、ユーザにより選択された非集約処理を行うか否かを示す選択情報が属性情報に含まれる。ワークフローを実行する際、オペレーションパネルにおいてＯＫボタン、又はキャンセルボタンをユーザに押下させる。これより、ＯＫボタンであれば非集約処理を行う、キャンセルボタンであれば非集約処理を行わないとする情報を選択情報とすることができる。
【０１２０】
通信手段３０１は、ＭＦＰから取得した選択情報を含む属性情報を、ジョブ実行手段３０３を介してワークフロー制御手段３０４に出力する。
【０１２１】
ワークフロー制御手段３０４に含まれる処理決定手段９０１は、属性情報に含まれる選択情報に基づいて、非集約処理を行うか否かを決定する。つまり、ワークフローに含まれる非集約処理をスキップするか否かを決定する。ワークフロー制御手段３０４は、選択情報が非集約処理を行わないことを示す情報であれば、ワークフローにおける次の処理を行うよう制御する。
【０１２２】
以上、実施例４によれば、ワークフローに非集約処理が設定されている場合であっても、ユーザがワークフローを実行する際に、非集約処理を行うか否かの選択を行うことができる。
【０１２３】
なお、各実施例の画像処理サーバは、ＣＰＵなどの制御装置と、ＲＯＭ（Read Only Memory）やＲＡＭなどの記憶装置と、ＨＤＤ、ＣＤドライブ装置などの外部記憶装置などの装置を備えており、ワークステーションや通常のコンピュータを利用したハードウェア構成となっている。
【０１２４】
各実施例の画像処理サーバで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１２５】
また、各実施例の画像処理サーバやで実行されるプログラムを、インターネット等のネットワークに接続されたコンピュータ上に格納し、ネットワーク経由でダウンロードさせることにより提供するように構成してもよい。また、各実施例の画像処理サーバで実行されるプログラムをインターネット等のネットワーク経由で提供または配布するように構成してもよい。
【０１２６】
また、各実施例の画像処理サーバで実行されるプログラムを、ＲＯＭ等に予め組み込んで提供するように構成してもよい。
【０１２７】
各実施例の画像処理サーバで実行されるプログラムは、前述した各手段を含むモジュール構成となっており、実際のハードウェアとしてはＣＰＵ（プロセッサ）が上記記憶媒体からプログラムを読み出して実行することにより上記各手段が主記憶装置上にロードされ、上記各手段が主記憶装置上に生成されるようになっている。
【０１２８】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。さらに、異なる実施例にわたる構成要素を適宜組み合わせても良い。
【符号の説明】
【０１２９】
１０、２０、６０、８０  ＭＦＰ
３０、７０、９０  画像処理サーバ
４０  画像管理サーバ
５０  情報処理端末
１０１  画像読込手段
１０２  属性情報取得手段
１０３、６０１  通信手段
１０４  記憶手段
３０１、７０２  通信手段
３０２  レイアウト取得手段
３０３  ジョブ実行手段
３０４  ワークフロー制御手段
３０５，７０１  ワークフロー処理手段
３０６  記憶手段
３２１  パンチ穴検出手段
３２２  集約判定手段
３２３  綴じ部検出手段
３２４  レイアウト識別情報取得手段
３２５  指定情報取得手段
３５１  非集約処理手段
３５２  画像補正手段
３５３  集約処理手段
３５４  画像変換手段
３５５  フォルダ配信手段
３５６  メール送信手段
４００  パンチ穴除去処理手段
４０１  天地識別処理手段
４０２  綴じ部補正処理手段
５０１、８０１  画像記憶手段
６０２  プレビュー表示手段
８０２  結合手段
９０１  処理決定手段
【先行技術文献】
【特許文献】
【０１３０】
【特許文献１】特開２００６−０１８６４０号公報
【特許文献２】特開平６−１９５５０２号公報
【図１】
2011019187.tif 000003
【図２】
2011019187.tif 000004
【図３】
2011019187.tif 000005
【図４】
2011019187.tif 000006
【図５】
2011019187.tif 000007
【図６】
2011019187.tif 000008
【図７】
2011019187.tif 000009
【図８】
2011019187.tif 000010
【図９】
2011019187.tif 000011
【図１０】
2011019187.tif 000012
【図１１】
2011019187.tif 000013
【図１２】
2011019187.tif 000014
【図１３】
2011019187.tif 000015
【図１４】
2011019187.tif 000016
【図１５】
2011019187.tif 000017
【図１６】
2011019187.tif 000018
【図１７】
2011019187.tif 000019
【図１８】
2011019187.tif 000020
【図１９】
2011019187.tif 000021
【図２０】
2011019187.tif 000022